(57)【要約】【課題】高い加工精度を不要にして製造を容易に行いコストを低減することができるインキつぼにおけるブレードの調節装置を提供する。【解決手段】つぼ台１４にブレード素子２１ｂを取り付け、そのエッジ部２１ｈをローラ１３の外周面１３ａに隙間Ｇをもって配置する。前記つぼ台１４にプッシュプルロッド２６を往復動可能に貫通し、プッシュプルロッド２６の先端部を前記ブレード素子２１ｂの下面２１ｊに接触させる。つぼ台１４の後端部に弾性支持板２７を介して取付ブロック２９を取り付け、この取付ブロック２９に調節レバー３１を支持軸３２によって回動可能に支持し、調節レバー３１のカム３１ｂを前記プッシュプルロッド２６の基端面に接触する。調節レバー３１の操作部３１ｃを回動するとカム３１ｂのカム面３１ｄによってプッシュプルロッド２６が押動され、ブレード２１の位置が調節されて隙間Ｇが調節される。【選択図】      図１
2005238778.tif 000002
【特許請求の範囲】
【請求項１】
フレームにつぼローラとつぼ台を装着し、つぼ台の上面と前記つぼローラの外周面との間にインキ溜りを形成し、前記つぼローラの外周面とつぼ台の先端縁との間に形成されるインキ供給口に対応してインキ供給量を調節する複数のブレードを前記つぼ台に装着し、つぼローラとブレードにより形成される隙間を、前記各ブレードをそれ自身の弾性復元力又は別途配設した弾性部材により所定の開度に復元可能に形成し、前記つぼ台に対し前記各ブレードの位置をそれぞれ独立して調節して前記隙間を調節する隙間調節機構を設けたインキつぼにおいて、
前記各隙間調節機構は、
前記つぼ台に形成した貫通穴に往復動可能に挿通され、かつ前記ブレードを押動可能な調節ロッドと、
前記つぼ台に往復回動可能に装着され、かつ前記調節ロッドを押動可能なカムを備えた調節レバーと
により構成されていることを特徴とするインキつぼのブレード調節装置。
【請求項２】
請求項１において、調節レバーを回動可能に支持する支持軸は、支点位置調節機構によって前記調節ロッドに接近又は離間する方向の位置調節可能に構成されていることを特徴とするインキつぼのブレード調節装置。
【請求項３】
請求項２において、前記支点位置調節機構は、つぼ台に取り付けられた弾性支持体と、該弾性支持体に取り付けられ、かつ前記支持軸を支持する取付ブロックと、この取付ブロックを位置調節するための調節機構とによって構成されていることを特徴とするインキつぼのブレード調節装置。
【請求項４】
請求項１〜３のいずれか一項において、前記調節ロッドの先端部にブレードの下面に接触して調節ロッド自体の回動を阻止するための回動阻止部が設けられていることを特徴とするインキつぼのブレード調節装置。
【請求項５】
請求項１〜４のいずれか一項において、つぼ台の後端面には各調節レバーを外部に突出するための開口を形成したカバーが取り付けられ、該カバーの表面に対して調節レバーによる前記隙間の調節量を表示するための目盛が設けられていることを特徴とするインキつぼのブレード調節装置。
【請求項６】
請求項５において、前記調節機構はアジャストボルトであって、カバーに設けた開口から回動操作可能に構成されていることを特徴とするインキつぼのブレード調節装置。
【発明の詳細な説明】
【技術分野】
【０００１】
本発明は、印刷機に使用されるインキつぼのブレード調節装置に関するものである。
【背景技術】
【０００２】
オフセット印刷機においては、図５に示すように、印刷用の紙Ｐに対して、その上方及び下方にそれぞれインキつぼ５１が配置されている。前記インキつぼ５１を構成するつぼローラ５２には複数のローラ５３を介して版胴５４が連結され、両版胴５４に対して設けられた一対のゴム円筒５５間に印刷用の紙Ｐが供給されるようになっている。そして、つぼローラ５２の回転に伴って、インキつぼ５１内のインキが各ローラ５２，５３の外周面を介して版胴５４に供給され、この版胴５４からゴム円筒５５を介して紙Ｐへ転写されるようになっている。
【０００３】
ところで、前述した印刷形態において、前記紙Ｐに対する印刷はつぼローラ５２の回転軸方向へ所定の設定幅をもって行なわれる。通常その設定幅内の各位置におけるインキ転写面積には印刷の図柄により相違がある。そのため、つぼローラ５２の回転軸方向における各位置でのインキ供給量が同じであると、印刷した紙Ｐに印刷ムラが生じる。
【０００４】
上記問題を解消するため、図６に示すように、インキつぼ５１を構成するつぼ台５６の前端縁とつぼローラ５２の外周面との間のインキ送り出し口２０を塞ぐようにブレード５７を設ける。このブレード５７によりつぼローラ５２の外周面に付着されるインキの量を調節するようになっている。このブレード５７はつぼローラ５２の回転軸方向に例えば１０〜３０箇所に分割して配置され、複数の間隔調節機構５８によりそれぞれ独立して傾動可能になっている。そして、つぼローラ５２とブレード５７との間に形成される隙間Ｇを調節して、印刷ムラが発生するのを防止する。
【０００５】
前記間隔調節機構５８は、前記つぼ台５６の前後２カ所の軸受部に貫通支持された回動操作ロッド５９と、この回動操作ロッド５９の先端部に嵌合固定され、かつ前記ブレード５７の背面に摺動接触する円弧状のカム面を有するカム６０と、前記回動操作ロッド５９の後端部に形成された小径の軸部５９ａに取り付けられた調節用の操作つまみ６１とによって構成されている。
【０００６】
又、軸部５９ａには、カム６０を原点位置に設定した状態で、回動操作ロッド５９を軸方向に移動してローラ５２の外周面にブレード５７の先端縁を接触して前記隙間Ｇを一旦零にする原点位置設定機構が設けられている。この機構は、前記つぼ台５６の支持穴５６ｂに近接して設けたネジ孔５６ｃに螺合したナット６２と、該ナット６２を所定位置にセットするボルト６３とによって構成されている。そして、前記ナット６２の螺合位置を前方へ移動することにより回動操作ロッド５９を軸方向前方に移動し、つぼローラ５２の外周面にブレード５７の先端縁を接触するようなっている。
（特許文献１参照）
【特許文献１】特開２００２−３３７３１２
【発明の開示】
【発明が解決しようとする課題】
【０００７】
上記従来の間隔調節機構５８は、回動操作ロッド５９を用いているので、つぼ台５６に設けられた回動操作ロッド５９の前後両端部の軸受部の支持穴５６ａ，５６ｂの加工精度が要求され、熟練した高い加工技術が必要になるとともに加工時間が長くなって、製造コストを低減することができないという問題があった。
【０００８】
又、前記ブレード５７及びカム６０の原点位置設定機構は、再設定が必要となった場合に、操作つまみ６１を外して、ナット６２を回動する必要があり、原点位置の調節作業が非常に面倒であるという問題があった。
【０００９】
この発明の目的は、上記従来の技術に存する間題点を解消して、高い加工精度を不要にして、製造を容易に行いコストを低減することができるインキつぼにおけるブレードの調節装置を提供することにある。
【００１０】
この発明の別の目的は、上記目的に加えてブレード及びカムの原点位置の調節を容易に行うことができるインキつぼにおけるブレードの調節装置を提供することにある。
【課題を解決するための手段】
【００１１】
上記問題点を解決するために、請求項１に記載の発明は、フレームにつぼローラとつぼ台を装着し、つぼ台の上面と前記つぼローラの外周面との間にインキ溜りを形成し、前記つぼローラの外周面とつぼ台の先端縁との間に形成されるインキ供給口に対応してインキ供給量を調節する複数のブレードを前記つぼ台に装着し、つぼローラとブレードにより形成される隙間を、前記各ブレードをそれ自身の弾性復元力又は別途配設した弾性部材により所定の開度に復元可能に形成し、前記つぼ台に対し前記各ブレードの位置をそれぞれ独立して調節して前記隙間を調節する隙間調節機構を設けたインキつぼにおいて、前記各隙間調節機構は、前記つぼ台に形成した貫通穴に往復動可能に挿通され、かつ前記ブレードを押動可能な調節ロッドと、前記つぼ台に往復回動可能に装着され、かつ前記調節ロッドを押動可能なカムを備えた調節レバーとにより構成されていることを要旨とする。
【００１２】
請求項２に記載の発明は、請求項１において、調節レバーを回動可能に支持する支持軸は、支点位置調節機構によって前記調節ロッドに接近又は離間する方向の位置調節可能に構成されていることを要旨とする。
【００１３】
請求項３に記載の発明は、請求項２において、前記支点位置調節機構は、つぼ台に取り付けられた弾性支持体と、該弾性支持体に取り付けられ、かつ前記支持軸を支持する取付ブロックと、この取付ブロックを位置調節するための調節機構とによって構成されていることを要旨とする。
【００１４】
請求項４に記載の発明は、請求項１〜３のいずれか一項において、前記調節ロッドの先端部にブレードの下面に接触して調節ロッド自体の回動を阻止するための回動阻止部が設けられていることを要旨とする。
【００１５】
請求項５に記載の発明は、請求項１〜４のいずれか一項において、つぼ台の後端面には各調節レバーを外部に突出するための開口を形成したカバーが取り付けられ、該カバーの表面に対して調節レバーによる前記隙間の調節量を表示するための目盛が設けられていることを要旨とする。
【００１６】
請求項６に記載の発明は、請求項５において、前記調節機構はアジャストボルトであって、カバーに設けた開口から回動操作可能に構成されていることを要旨とする。
【発明の効果】
【００１７】
請求項１〜６のいずれか１項に記載の発明によれば、ブレードを弾性変形させて押動する調節ロッドの支持孔が一カ所にできるため、通常の加工精度で加工を容易に行うことができる。このため、隙間調節機構の製造を容易に行いコストを低減することができる。
【００１８】
請求項６に記載の発明は、調節部材としてのアジャストボルトを、カバーに設けた開口から回動操作することによって、ブレード及びカムの原点位置の設定を容易に行うことができる。
【発明を実施するための最良の形態】
【００１９】
以下、この発明を具体化した一実施形態を図１〜図４に基づいて説明する。
印刷機の側断面を表す図１に示すように左右一対のフレーム１１( 図１では紙面と直交する方向の紙面奥側のフレーム１１のみ図示) の間にはインキつぼ１２が装着されている。前記インキつぼ１２を構成するつぼローラ１３は前記フレーム１１間の所定位置において回転可能に支持されている。前記つぼローラ１３に近接して、つぼ台１４がフレーム１１に支持した支持軸１５及び軸受部１６により上下方向の傾動可能に装着されている。前記つぼ台１４の左右両側部には図２に示すように側板１７がボルトにより固着されている。前記つぼ台１４の上面１４ａの先端部には段差部１４ｂが形成され、この段差部１４ｂにはプレート１８が後述するブレード２１とともにボルト２２によってつぼ台１４に締め付け固定されている。前記つぼ台１４の上面１４ａと、プレート１８の上面１８ａと、つぼローラ１３の外周面１３ａと、さらに前記一対の側板１７とにより形成される凹状空間をインキ溜め１９としている。側板１７の前端部に形成した弧状シール面１７ａをつぼローラ１３の外周面１３ａに摺接するようにしている。そして、インキ溜め１９内のインキがプレート１８の上面１８ａの前端縁と、つぼローラ１３の外周面１３ａとの間に形成されるインキ送り出し口２０からインキがつぼローラ１３の外周面１３ａに付着されて下方に導かれるようになっている。
【００２０】
前記つぼ台１４の前端部には前記インキ送り出し口２０を塞ぐようにして隙間Ｇを形成し、つぼローラ１３の外周面１３ａに付着されるインキの量を調節するためのブレード２１が装着されている。このブレード２１の基端部は前記段差部１４ｂと、前記プレート１８の基端部下面との間に挟着され、前記プレート１８の取付用のボルト２２によって共締め固定されている。このブレード２１には図３に示すように複数箇所にボルト２２の貫通孔２１ａが形成されている。
【００２１】
前記ブレード２１は、複数（この実施形態では１６箇所）のブレード素子２１ｂを備えている。各ブレード素子２１ｂは図３に示すように複数のスリット２１ｃをブレード２１の前端面から後端部付近まで形成することにより分離されることなく基端連結部２１ｄに一体的に連結されている。前記各ブレード素子２１ｂの中間部には薄肉状の弾性変形部２１ｅがそれぞれ形成され、該弾性変形部２１ｅにより各ブレード素子２１ｂが外力によって弾性変形し得るようにしている。前記各ブレード素子２１ｂの上端面２１ｆと前側面２１ｇとの境界部、つまりエッジ部２１ｈは前記つぼローラ１３の外周面１３ａに接近して前記隙間Ｇを形成する。前記ブレード２１の材料としては、例えばステンレススチール等の鉄系合金、アルミニウム系合金等の金属がある。
【００２２】
前記つぼ台１４の上面１４ａ及びプレート１８の上面１８ａには底板２３が支持されている。この底板２３は図示しないビスにより前記つぼ台１４の上面１４ａに固定されている。前記ブレード２１のブレード素子２１ｂの背面２１ｉには、前記プレート１８の先端面が摺動可能に接触されている。
【００２３】
次に、前記ブレード２１の各ブレード素子２１ｂの位置を調節することにより前記隙間Ｇを調節するための隙間調節装置２５について説明する。
前記つぼ台１４には、前記各ブレード素子２１ｂと対応するように貫通穴１４ｃが複数カ所（図３に一箇所図示）に形成され、各貫通穴１４ｃには調節ロッドとしてのプッシュプルロッド２６が貫通支持されている。このプッシュプルロッド２６の先端部には偏平状の切欠部２６ａが形成され、切欠部２６ａの先端部に形成された直線状態をなす回動阻止部２６ｂが前記ブレード素子２１ｂの下面２１ｊに接触されている。これよって、プッシュプルロッド２６がその中心軸線を中心として回動しないようになっている。従って、前記プッシュプルロッド２６が軸方向に往復動作されることによって、前記ブレード素子２１ｂが弾性変形部２１ｅの弾性変形により上方又は下方向に移動され、前記隙間Ｇが調節される。
【００２４】
前記つぼ台１４の後端面には弾性変形可能な板材によって構成された弾性支持体としての弾性支持板２７がボルト２８によって取り付けられている。この弾性支持板２７は図３に示すように前記ボルト２８を貫通する複数の孔２７ａを有し、各プッシュプルロッド２６と対応して複数の取付素子２７ｂが形成されている。この取付素子２７ｂは弾性支持板２７にスリット２７ｃを下端縁から上方に所定長さ形成することにより形成される。前記取付素子２７ｂにはボルト挿通孔２７ｄが二箇所に形成されている。前記取付素子２７ｂにはそれぞれ取付ブロック２９が前記ボルト挿通孔２７ｄから貫通されたボルト３０によって取り付けられている。ボルト３０は取付ブロック２９に形成されたネジ孔２９ａに螺合されている。
【００２５】
前記各取付ブロック２９には支持軸３２を貫通する貫通孔２９ｂが形成され、前記支持軸３２には前記各プッシュプルロッド２６と対応して調節レバー３１が回動可能に支持されている。この各調節レバー３１は前記支持軸３２を貫通する支持孔３１ａを有し、先端部には前記各プッシュプルロッド２６の基端部に摺動接触して、該プッシュプルロッド２６を押動するためのカム３１ｂが一体に形成されている。又、各調節レバー３１には操作部３１ｃが一体に形成されている。
【００２６】
前記プッシュプルロッド２６の基端面は前記調節レバー３１のカム３１ｂによって位置規制され、貫通穴１４ｃからプッシュプルロッド２６が離脱しないようになっている。前記プッシュプルロッド２６の基端部外周面には係合溝２６ｃが形成され、この係合溝２６ｃにストッパー３３が係合されている。前記貫通穴１４ｃの調節レバー３１側端部にはバネ収容部１４ｄが形成され、このバネ収容部１４ｄの内頂面と前記ストッパー３３との間にはコイル状をなす付勢部材としてのバネ３４が介在されている。従って、このバネ３４によって、各プッシュプルロッド２６がブレード素子２１ｂから離隔される方向に付勢されている。
【００２７】
前記各取付ブロック２９にはボルト挿通孔２９ｃがそれぞれ形成され、このボルト挿通孔２９ｃに貫通された調節部材としてのアジアストボルト３５の先端部の雄ネジ部が前記つぼ台１４に形成されたネジ穴１４ｅに螺合されている。前記各アジアストボルト３５の外周部にはコイル状をなす付勢部材としてのバネ３６が装着され、バネ３６の一端は前記つぼ台１４の内側面に係止され、他端は前記取付ブロック２９の一側面に係止されている。このバネ３６によって取付ブロック２９がアジアストボルト３５の頭部３５ａに付勢されるようになっている。頭部３５ａには六角レンチの先端を係合可能な六角穴３５ｂが形成されている。
【００２８】
この実施形態では、前記取付ブロック２９、アジアストボルト３５及びバネ３６等によって調節レバー３１の支持軸３２の位置、つまり調節レバー３１の回動支点の位置を調節するための支点位置調節機構Ｋが構成されている。
【００２９】
前記つぼ台１４の後端面にはカバー取付板３７がボルト３８によって取り付けられている。このカバー取付板３７には前記調節レバー３１の操作部３１ｃを外部に導出するための窓３７ａが複数カ所に形成されている。カバー取付板３７の両端部には、取付部３７ｂが折り曲げ形成され、取付部３７ｂは前記ボルト３８によってつぼ台１４に締め付け固定されている。前記カバー取付板３７の表面にはつぼ台１４の後端開口部のカバー３９がビス４０によって締め付け固定されている。このカバー３９には前記調節レバー３１の操作部３１ｃを外部に突出するための縦長の開口３９ａが複数箇所に形成されている。前記カバー３９には前記各アジアストボルト３５と対応して円形状の挿入孔３９ｂが形成されている。この挿入孔３９ｂから六角レンチを挿入して前記アジアストボルト３５を回動するようにしている。挿入孔３９ｂを省略して開口３９ａに挿入孔３９ｂとしての機能を持たせることもできる。前記カバー３９の外表面には各開口３９ａと対応して図４に示すように調節レバー３１による前記隙間Ｇの調節量を表示するための目盛３９ｃが形成されている。
【００３０】
この実施形態では、前記プッシュプルロッド２６、弾性支持板２７、取付ブロック２９、調節レバー３１及び支持軸３２等により前記隙間Ｇを調節する隙間調節機構を構成している。
【００３１】
図２に示すように、前記フレーム１１と前記つぼ台１４の左右両側面との間には、該つぼ台１４を使用位置にロックするためのロック機構４１が設けられている。このロック機構４１は、図２の平面に示すようにフレーム１１の内側面に支持された支持軸４１１と、この支持軸４１１に上下（紙面直交）方向の傾動可能に連結されたボルト４１２と、該ボルト４１２に螺合された操作レバー４１３と、前記つぼ台１４の側端面に取り付けられたロック部材４１４とにより構成されている。そして、つぼ台１４を使用位置（図１参照）に移動した状態で前記ロック部材４１４をボルト４１２と対応させ、操作レバー４１３をボルト４１２上で螺動してロック部材４１４に操作レバー４１３の先端を押圧することによりロック状態にするようにしている。操作レバー４１３を螺退方向に回動して緩めることによりロック状態を解除して、つぼ台１４を使用位置から開放位置に切り換えることができる。
【００３２】
次に、前記のように構成したインキつぼについて、その動作を説明する。
図１において、プッシュプルロッド２６の原点位置を設定するため、次のような動作が行われる。
【００３３】
最初に、前記調節レバー３１の操作部３１ｃを、支持軸３２を中心に反時計回り方向に回動して、図１に実線で示すように最下端位置に保持する。この状態では調節レバー３１のカム３１ｂの下端部、つまり原点位置がプッシュプルロッド２６の基端面に接触された状態となる。
【００３４】
次に、前記カバー３９に設けた挿入孔３９ｂから例えば六角レンチを挿入して前記アジアストボルト３５の頭部３５ａに形成された六角穴３５ｂにレンチの先端を係合して回動すると、弾性支持板２７及びバネ３６の弾性力に抗して取付ブロック２９が前方向に移動される。このため支持軸３２を介して調節レバー３１が前方向に移動され、調節レバー３１のカム３１ｂによってプッシュプルロッド２６が前方向に移動される。この結果、前記ブレード２１のブレード素子２１ｂが弾性変形部２１ｅの弾性変形によって押動される。従って、ブレード２１のエッジ部２１ｈがつぼローラ１３の外周面１３ａに接触される。この状態がブレード２１とつぼローラ１３の隙間Ｇが零となっていて、ブレード素子２１ｂ及び調節レバー３１のカム３１ｂが原点位置に設定される。
【００３５】
この状態で、前記調節レバー３１の操作部３１ｃを図１に二点鎖線で示すように上方に移動させて、カム３１ｂを支持軸３２を中心にして時計回り方向に回動すると、カム３１ｂのカム面３１ｄの後退作用によって、プッシュプルロッド２６がバネ３４の付勢力によって後退する方向に移動される。これによって、ブレード素子２１ｂも弾性変形部２１ｅの弾性復元力によりつぼローラ１３の外周面１３ａから離れる方向に移動される。これに伴い、隙間Ｇが所望する開度に調節されてインキの供給量が多くなるように調節される。
【００３６】
逆に、インキの供給量を減少したい場合には、前記調節レバー３１の操作部３１ｃを図１に二点鎖線で示す位置から下方に移動させると、前述した隙間Ｇを増大させる動作と逆の動作によって隙間Ｇが減少され、インキの供給量が減少される。
【００３７】
印刷時においては、つぼローラ１３が図１の反時計回り方向に回転され、インキ送り出し口２０においてインキ溜まり１９内のインキがつぼローラ１３の外周面１３ａに薄膜状に付着され、図示しない練りローラを介して版胴へ供給される。そして、この版胴からゴム円筒を介して紙ヘインキが転写されることにより印刷が行われる。
【００３８】
次に、前記のように構成したインキつぼについて、その効果を構成とともに列記する。
（１）前記実施形態では、前記ブレード素子２１ｂと対応してプッシュプルロッド２６を往復動可能につぼ台１４に支持し、各プッシュプルロッド２６と対応してカム３１ｂ及び操作部３１ｃを有する調節レバー３１を設け、カム３１ｂのカム面３１ｄをプッシュプルロッド２６の基端面に接触した。このため、各ブレード素子２１ｂの前進又は後退動作を確実に行うことができ、前記隙間Ｇの調節作業を確実かつ容易に行なうことができる。
【００３９】
（２）前記実施形態では、前記調節レバー３１を支持する支持軸３２を、弾性支持板２７及び取付ブロック２９によって位置調節可能に支持するとともに、取付ブロック２９の下端部をアジアストボルト３５とバネ３６によって保持し、アジアストボルト３５を回動することにより調節レバー３１の支点の位置を調節する支点位置調節機構Ｋを設けた。このため、カム３１ｂのカム面３１ｄを原点位置に設定し、つぼローラ１３の外周面１３ａとブレード２１のエッジ部２１ｈとの隙間Ｇを零とするブレード素子２１ｂの原点位置の設定を、カバー３９に形成された挿入孔３９ｂから六角レンチ等を挿入してアジアストボルト３５を回動することにより容易に行うことができる。この原点位置の設定は再設定が必要となった場合にも容易に行うことができる。
【００４０】
（３）前記実施形態では、プッシュプルロッド２６の先端部に切欠部２６ａを形成し、切欠部２６ａの先端に回動阻止部２６ｂを形成して、ブレード２１のブレード素子２１ｂの下面２１ｊに線接触させるようにした。このため、プッシュプルロッド２６自体の回動を阻止するための専用の部材を省略して部品点数を低減し、製造及び組み付け作業を容易に行いコストを低減することができる。
【００４１】
（４）前記実施形態では、カバー３９の表面に対して調節レバー３１による前記隙間Ｇの調節量を表示するための目盛３９ｃが設けられているので、隙間Ｇの調節量を容易に知ることができる。
【００４２】
なお、本実施形態は以下のように変更してもよい。
○  前記アジアストボルト３５の頭部３５ａをつぼ台１４の下側の開口部から六角レンチ或いはスパナ等によって回動するようにしてもよい。
【００４３】
○  前記各ブレード素子２１ｂをそれ自身の弾性復元力により復元するのに代えて、別途配設した弾性部材により復元するようにしてもよい。
【図面の簡単な説明】
【００４４】
【図１】この発明を具体化した一実施形態を示すインキつぼの横断面図。
【図２】インキつぼの平断面図。
【図３】カバー取付板及びカバーを示す斜視図。
【図４】間隔調節装置を示す分解斜視図。
【図５】印刷機の概略構成を示す説明図。
【図６】従来のインキつぼの使用状態を示す断面図。
【符号の説明】
【００４５】
Ｇ…隙間、Ｋ…支点位置調節機構、１１…フレーム、１３…つぼローラ、１３ａ…外周面、１４…つぼ台、１４ａ，１８ａ…上面、１４ｃ…貫通穴、３２…支持軸、２１…ブレード、２１ｊ…下面、２５…隙間調節装置、２６…調節ロッドとしてのプッシュプルロッド、２６ｂ…回動阻止部、２９…取付ブロック、３１…調節レバー、３９…カバー、３９ａ…開口、３９ｃ…目盛。
【図１】
2005238778.tif 000003
【図２】
2005238778.tif 000004
【図３】
2005238778.tif 000005
【図４】
2005238778.tif 000006
【図５】
2005238778.tif 000007
【図６】
2005238778.tif 000008